(57)【要約】【課題】画面から読み取った画像の表示を容易に行えるようにする。【解決手段】入力された画像が、表示パネルの画面の表示ウィンドウに表示される。ユーザが被読取物を画面に押し当てると、被読取物の画像が読み取られ、被読取物の触れた位置が特定される。触れた位置が表示ウィンドウ内の場合、現在表示されている画像が被読取物の画像に置き換えられて表示される。触れた位置が表示ウィンドウ外の場合、被読取物の画像が、触れた位置に基づいて決められた第２の表示ウィンドウに表示される。【選択図】図６
2009229478.tif 000002
【特許請求の範囲】
【請求項１】
画像を表示する画面により被読取物から画像を読み取ることができる表示装置であって、読み取った画像を出力する制御部を備え、制御部は、被読取物が触れた画面上の位置に応じて、被読取物の画像の表示形態を決めることを特徴とする表示装置。
【請求項２】
画面に、表示ウィンドウが表示され、画面を通じて画像を読み取る読取部は、被読取物が表示ウィンドウの内外のいずれに触れたかを検出し、制御部は、被読取物が表示ウィンドウ内に触れたとき、被読取物の画像を表示ウィンドウ内に表示させ、被読取物が表示ウィンドウ外に触れたとき、触れた位置に被読取物の画像を表示させることを特徴とする請求項１記載の表示装置。
【請求項３】
制御部は、表示ウィンドウ内に表示させるとき、画像が表示ウィンドウに収まるように、画像を変形することを特徴とする請求項２記載の表示装置。
【請求項４】
制御部は、表示ウィンドウ内に画像が表示されているとき、この画像を被読取物の画像に置き換えることを特徴とする請求項２記載の表示装置。
【請求項５】
制御部は、画像を置き換えるとき、置き換えの可否の確認画面を表示させることを特徴とする請求項４記載の表示装置。
【請求項６】
読取部は、被読取物の画像の中心位置を検出し、制御部は、中心位置に基づいて表示ウィンドウの内外を判断することを特徴とする請求項２記載の表示装置。
【請求項７】
制御部は、表示ウィンドウ外に表示させるとき、中心位置に対応する画面上の位置に被読取物の画像を表示させることを特徴とする請求項６記載の表示装置。
【請求項８】
制御部は、画面に表示されている画像の上に被読取物の画像を重ねて表示させるとき、被読取物の画像を透過画像とすることを特徴とする請求項７記載の表示装置。
【請求項９】
制御部は、読み取った画像を決められた出力先に出力することを特徴とする請求項２記載の表示装置。
【請求項１０】
制御部は、出力先を示す画像を画面に表示させることを特徴とする請求項９記載の表示装置。
【発明の詳細な説明】
【技術分野】
【０００１】
本発明は、スキャナ機能を備えた表示装置に関する。
【背景技術】
【０００２】
近年、プレゼンテーションや会議が行われるとき、大型の表示装置が用いられる。表示装置には、資料等の画像が表示される。資料は事前にスキャナによって読み取られ、読み取られた画像はパソコン等の情報処理装置に保存される。表示するときに、資料の画像が情報処理装置から読み出され、表示装置に出力される。
【０００３】
特許文献１には、画面から画像を読み取ることができる表示装置が記載されている。資料が画面に載置されたとき、資料の画像が読み取られ、この画像を画面に表示することができる。そのため、プレゼンテーション中に提出された資料をその場で読み取ると、資料の画像をすぐに表示することができる。
【０００４】
しかし、表示された画像の位置が適切でない場合、画像を移動させて表示位置を変えるといったユーザの操作が必要となる。そのため、プレゼンテーションを一時中断しなければならない。
【０００５】
特許文献２には、原稿台に原稿を載置したとき、載置位置に対応した処理を読み取った画像に行う画像読取装置が記載されている。これにより、処理に要する操作が容易となる。しかし、複数の処理に対応可能なように、複数の載置位置が設定されると、所望の処理を行いたいとき、ユーザは原稿台のどこに載置すればよいのか戸惑い、操作性が悪くなる。
【特許文献１】特開２００６−１７９９７７号公報
【特許文献２】特開２００５−３４８１７１号公報
【発明の開示】
【発明が解決しようとする課題】
【０００６】
上記のようなスキャナ機能を備えた表示装置を利用すれば、画面に表示されている画像を見ながら、他の画像の入力を容易に行える。そこで、本発明は、読み取った画像を表示する操作のために、動作を一時的に中断することなく、ユーザの望む位置に画像の表示を行える表示装置の提供を目的とする。
【課題を解決するための手段】
【０００７】
本発明は、画像を表示する画面により被読取物から画像を読み取ることができる表示装置であって、読み取った画像を出力する制御部を備え、制御部は、被読取物が触れた画面上の位置に応じて、被読取物の画像の表示形態を決めるものである。
【０００８】
ユーザが被読取物を画面に当てたとき、この触れた位置に応じて、読み取った画像が特定の形態で表示される。したがって、ユーザが表示したい形態に応じて触れる位置を選択することにより、ユーザの所望の表示を行える。
【０００９】
ここで、画面に、表示ウィンドウが表示される。画面を通じて画像を読み取る読取部は、被読取物が表示ウィンドウの内外のいずれに触れたかを検出し、制御部は、被読取物が表示ウィンドウ内に触れたとき、被読取物の画像を表示ウィンドウ内に表示させ、被読取物が表示ウィンドウ外に触れたとき、触れた位置に被読取物の画像を表示させる。
【００１０】
表示ウィンドウに表示する形態を選択するとき、ユーザは表示ウィンドウ内に被読取物を当てればよい。このとき、読み取られた画像は、表示ウィンドウに合った形態で表示される。他の位置に表示する形態を選択するとき、ユーザは表示ウィンドウ外の好きな位置に被読取物を当てるとよい。このとき、読み取られた画像は、被読取物に対応した形態で表示される。
【００１１】
制御部は、被読取物の画像を表示ウィンドウ内に表示させるとき、画像が表示ウィンドウに収まるように、画像を変形する。読み取った画像に対し、表示ウィンドウのサイズに応じて拡大、縮小といった変形が施される。
【００１２】
制御部は、表示ウィンドウ内に画像が表示されているとき、この画像を被読取物の画像に置き換える。制御部は、画像を置き換えるとき、置き換えの可否の確認画面を表示させる。表示ウィンドウをスライド代わりに使用することができ、会議等において利用価値が高まる。
【００１３】
読取部は、被読取物の画像の中心位置を検出し、制御部は、中心位置に基づいて表示ウィンドウの内外を判断する。読み取った画像の中心位置が表示ウィンドウ内にあると、表示ウィンドウ内への表示の選択と判断される。中心位置が表示ウィンドウ外にあると、表示ウィンドウ外への表示の選択と判断される。
【００１４】
制御部は、表示ウィンドウ外に表示させるとき、中心位置に対応する画面上の位置に被読取物の画像を表示させる。これにより、被読取物が触れた位置を基準にして、表示する画像を位置決めすることができる。
【００１５】
なお、表示ウィンドウ外に読み取った画像を表示するとき、表示ウィンドウの画像はそのまま表示される。すなわち、複数の画像が並んで表示される。ユーザはそれぞれの画像を比べてみることができ、アピール効果のある表示を実現できる。
【００１６】
ところで、制御部は、画面に表示されている画像の上に被読取物の画像を重ねて表示させるとき、被読取物の画像を透過画像とする。読み取った画像を表示する際に、表示ウィンドウにかかって表示される場合や表示されている画像の上に被読取物が触れた場合、２つの画像が重なってしまう。このとき、被読取物の画像を優先的に表示するため、表示順序が上側になる。透過画像にすることにより、下側の画像も確認することができる。
【００１７】
制御部は、読み取った画像を決められた出力先に出力する。このとき、制御部は、出力先を示す画像を画面に表示させる。読み取った画像の処理を簡単に行うことができ、ユーザの操作性が向上する。
【発明の効果】
【００１８】
本発明によると、表示装置のスキャナ機能を活用することにより、ユーザの所望する形態で好きな位置に読み取った画像を表示することができる。したがって、表示のためのユーザの操作の手間を省くことができる。そのため、会議やプレゼンテーションにおいて表示装置を使用中、会議等の進行を妨げることなく、必要な情報を簡単に提供することができる。
【発明を実施するための最良の形態】
【００１９】
本実施形態の表示装置を図１に示す。表示装置１は、大型の表示パネル２を有する表示部３を備えている。表示部３は、移動可能な台座４に脚５を介して搭載される。画面は立った状態とされる。そして、表示装置１は、表示パネル２の画面から画像を読み取るスキャナ機能を有しており、図２に示すように、表示装置１は、画面上の被読取物の画像を読み取る読取部６と、画像の表示および画像の読み取りを制御する制御部７とを備えている。
【００２０】
表示部３は、制御部７からの指示により、ＬＣＤからなる表示パネル２を駆動する。表示パネル２の画面に画像が表示される。読取部６は、画面内に設けられたエリアセンサを有する。図３に示すように、画面を構成する液晶層１０とバックライト１１との間に複数の光センサ１２が配される。複数の光センサ１２がＸＹ平面に等間隔に配列されて、エリアセンサが形成される。光センサ１２にバックライト１１の光が直接入射しないように、光センサ１２とバックライト１１との間に遮光層１３が形成される。
【００２１】
表示パネル２の画面上に、原稿、資料等の表面に画像が形成された被読取物が接触すると、バックライト１１の光が被読取物の表面で反射し、この光が光センサ１２に入射する。各光センサ１２から出力された検出信号が、画像データとしてエリアセンサに取り込まれる。このようにして、読取部６は、被読取物の画像を読み取り、制御部７に画像データを出力する。
【００２２】
また、表示装置１は、ネットワークを通じて通信を行う通信部８および入力された画像を記憶する記憶部９を備えている。表示装置１は、図４に示すように、ＬＡＮ、ＷＡＮといったネットワークに接続される。ネットワークには、パソコン、サーバ、携帯情報端末といった情報処理装置１５や画像処理装置１６が接続されている。ネットワークは、さらにインターネットに接続される。
【００２３】
表示装置１は、ネットワークおよびインターネットを通じて情報処理装置１５や画像処理装置１６と通信可能とされる。制御部７は、通信部９を制御して通信を行うことにより、読み取った画像を情報処理装置１５あるいは画像処理装置１６に出力する。記憶部８は、ハードディスク装置あるいはメモリとされ、通信部９を通じて受け取った画像や読取部６により読み取った画像を記憶する。
【００２４】
ここで、読み取った画像に対して、印刷、表示、送信、保存といった処理が行われる。このような処理を行うために、表示装置１は、読み取った画像を各処理に応じて決められた出力先に出力する。出力先として、印刷の場合、画像処理装置１６、表示の場合、自装置の表示部３あるいは他の装置の表示部、電子メール、データ転送等の送信の場合、情報処理装置１５あるいは画像処理装置１６、保存の場合、自装置内の記憶部８あるいは他の装置の記憶部である。
【００２５】
画面から読み取った画像を表示するとき、ユーザの操作性の向上を図るために、制御部７は、被読取物が触れた位置に応じて、被読取物の画像の表示形態を決める。図５に示すように、画面に、入力された画像を表示するための表示ウィンドウ２０が表示される。制御部７は、被読取物が触れた位置に応じて、被読取物の画像をこの表示ウィンドウ２０内に表示するか、表示ウィンドウ２０外に表示するかを決める。そして、制御部７は、読み取った画像を表示ウィンドウ２０内に表示するとき、表示ウィンドウ２０内に収まるような画像の形態にする。なお、表示ウィンドウ２０に画像がすでに表示されているとき、制御部７は、この画像を被読取物の画像に置き換える。また、制御部７は、表示ウィンドウ２０外に表示するとき、触れた位置を基準にして、読み取った画像を表示する。
【００２６】
制御部７は、被読取物が画面に触れたとき、読取部６の出力に基づいて触れた位置を特定する。そして、制御部７は、触れた位置が表示ウィンドウ２０のエリア内に位置するか、エリア外に位置するかを判断する。この結果に基づいて、読み取った画像を上記したいずれの形態で表示するかを決定する。
【００２７】
次に、読み取った画像を表示するときの手順を図６にしたがって説明する。表示装置１はプレゼンテーション等において使用される。そして、制御部７は、表示パネル２の画面に、図５に示すように、入力された画像を表示ウィンドウ２０内に表示させる。
【００２８】
ユーザが、表示したい書類等の被読取物を画面に押し当てる。読取部６は、光センサ１２により被読取物の反射光を受光して、反射光の変化を検出することにより、画面に何かが触れたことを検出する（Ｓ１００）。制御部７は、読取部６からの検出信号により、画像を読み取るように読取部６を制御する。読取部６は、画面全体から画像を読み取る。
【００２９】
制御部７は、読取部６から取得された画像に基づいて、被読取物の触れた位置を判断する。まず、制御部７は、読み取られた画像に対して空間フィルタ（微分フィルタ）によりエッジ強調処理を行い、被読取物の画像のエッジを抽出する（Ｓ１０３）。
【００３０】
図７に示すように、読み取った画像に、被読取物のエッジ２１が表れ、被読取物に対応した閉領域２２が形成される。そこで、制御部７は、抽出されたエッジ２１で囲まれている閉領域２２を特定する（Ｓ１０５）。そして、制御部７は、閉領域２２の大きさを特定する（Ｓ１１０）。すなわち、閉領域２２のＸＹ座標から、最大座標（Ｘｍａｘ，Ｙｍａｘ）と最小座標（Ｘｍｉｎ，Ｙｍｉｎ）を算出する。最大座標と最小座標の差分値を計算し、差分値が閾値以上であるか否かを判定する。閾値は、被読取物と認められる大きさに設定される。例えば、名刺サイズの大きさに設定される。
【００３１】
制御部７は、差分値が閾値以上であれば、被読取物であると判断する。このとき、被読取物が画面に触れたことが認識される。閾値より小さいとき、被読取物でないと判断する。このとき、被読取物以外の物、例えば指やペンが触れたと認識される。制御部７は、被読取物であると認識すると、閉領域２２内の画像をメモリに一時的に保存する（Ｓ１２０）。すなわち、被読取物の画像が入力される。
【００３２】
そして、制御部７は、被読取物が当たっている位置に基づいて、読み取った画像の表示形態を決める。すなわち、制御部７は、閉領域２２の最大座標および最少座標から閉領域２２の中心位置を算出して、この中心位置が表示ウィンドウ２０内にあるかを判断する（Ｓ１３０）。
【００３３】
図８に示すように、被読取物Ｘの中心位置が表示ウィンドウ２０内にあるとき、制御部７は、被読取物の画像を表示ウィンドウ２０内に表示させる。表示ウィンドウ２０に画像が表示されているとき、被読取物の画像に置き換えられる（Ｓ１８０）。図８に示すように、読み取られた画像が表示ウィンドウ２０に表示される。
【００３４】
読み取った画像のサイズと表示ウィンドウ２０のサイズが異なるとき、制御部７は、表示ウィンドウ２０に収まるように、読み取った画像を変形する。例えば、被読取物の画像が表示ウィンドウ２０よりも小さい場合、読み取った画像は拡大される。大きい場合には、縮小される。これによって、被読取物の画像全体が表示ウィンドウ２０内に表示される。
【００３５】
あるいは、表示ウィンドウ２０内の画像をスクロールできる場合、表示ウィンドウ２０の高さあるいは幅に合うように、読み取った画像が拡大あるいは縮小される。
【００３６】
また、読み取った画像であることを示すために、制御部７は、表示ウィンドウ２０の背景色を例えば薄黄色のように変える。表示ウィンドウ２０は、前の表示とは異なる表示となり、ユーザは読み取った画像であることを認識できる。
【００３７】
図１０に示すように、被読取物Ｘの中心位置が表示ウィンドウ２０外にあるとき、制御部７は、触れた位置に応じて被読取物Ｘの画像を表示させる。制御部７は、読み取った画像の中心位置を中心にして、画像を表示させる（Ｓ２００）。図１１に示すように、読み取られた画像が表示ウィンドウ２０外の触れた位置に基づいて決められた位置に表示される。この画像に並んで表示ウィンドウ２０には、そのまま画像が表示される。
【００３８】
このとき、制御部７は、第２の表示ウィンドウ２３を形成して、中心位置に応じた位置に表示させる。読み取った画像は、第２の表示ウィンドウ２３内に表示される。被読取物の画像は、上記と同様に、表示ウィンドウ２３に対して拡大、縮小の変形が施されて表示される。
【００３９】
第２の表示ウィンドウ２３と表示ウィンドウ２０とが重なるように表示されるとき、制御部７は、被読取物の画像が上になるように重ねて表示させる。このとき、下の画像が見えるように、被読取物の画像は透過画像とされる。
【００４０】
ところで、読み取った画像を表示されている画像に置き換えて表示する場合、制御部７は、被読取物が表示ウィンドウ２０内に触れたことを検出したときに、ユーザに置換の可否を確認する。図１２に示すように、表示の置換の確認ダイアログが表示される。ＯＫが選択されると、制御部７は、読み取った画像に置き換えて表示する。キャンセルが選択されると、制御部７は、読み取った画像を表示しない。
【００４１】
さらに、読み取った画像を表示するだけでなく、指定の出力先に出力するようにしてもよい。制御部７は、被読取物が画面に触れたことを検出したとき、図１２に示すように、出力先を指定する設定画面を表示させる。出力する処理に応じて、例えば、印刷ならば画像処理装置１６、保存ならばサーバ、情報処理装置１５等の出力先が表示される。ユーザの選択に応じて、制御部７は、指定された出力先に読み取った画像を出力する。
【００４２】
以上のように、被読取物が画面の任意の位置に触れることによって、読み取った画像をユーザの望む位置における表示形態で表示させることができる。ユーザは被読取物を画面に当てる操作だけをすればよく、表示位置を設定するための操作を不要にできる。そのため、会議やプレゼンテーションを中断させずに必要な処理を行える。これにより、スキャナ機能付きの表示装置を大いに活用できる。
【００４３】
なお、本発明は、上記実施形態に限定されるものではなく、本発明の範囲内で上記実施形態に多くの修正および変更を加え得ることは勿論である。上記の読取部は、画面に接触した被読取物を読み取っているが、この読取部は、被読取物が画面に近接した状態であっても画像を読み取ることが可能である。被読取物を近接させた状態で画像を読み取ったとき、上記の触れた位置の代わりに、近接した位置を特定して、同様に出力の処理を行う。
【００４４】
複数の表示ウィンドウが表示されているとき、被読取物が複数の表示ウィンドウにまたがって触れたとき、制御部は、被読取物の触れた表示ウィンドウ全てに読み取った画像を表示させる。
【００４５】
書類等の矩形状の被読取物の触れた位置を判断するときの基準位置として、中心位置の代わりに、読み取った画像の４隅のうち１隅を基準としてもよい。ユーザにとって、表示させたい位置への位置決めが行いやすくなる。
【図面の簡単な説明】
【００４６】
【図１】本発明の表示装置の斜視図
【図２】表示装置の概略構成を示すブロック図
【図３】表示パネルの構造を示す断面図
【図４】表示装置を含むネットワークを示す図
【図５】表示ウィンドウに入力された画像が表示された画面を示す図
【図６】読み取った画像を表示するときのフローチャート
【図７】読み取った被読取物の位置を判断するための図
【図８】被読取物を表示ウィンドウ内に触れた状態の画面を示す図
【図９】読み取った画像を表示ウィンドウに表示した画面を示す図
【図１０】被読取物を表示ウィンドウ外に触れた状態の画面を示す図
【図１１】読み取った画像を触れた位置に表示した画面を示す図
【図１２】読み取った画像の処理を実行するための確認用ダイアログが表示された画面を示す図
【符号の説明】
【００４７】
１    表示装置
２    表示パネル
３    表示部
６    読取部
７    制御部
８    記憶部
９    通信部
１５    情報処理装置
１６    画像処理装置
２０    表示ウィンドウ
２３    第２の表示ウィンドウ
【図１】
2009229478.tif 000003
【図２】
2009229478.tif 000004
【図３】
2009229478.tif 000005
【図４】
2009229478.tif 000006
【図５】
2009229478.tif 000007
【図６】
2009229478.tif 000008
【図７】
2009229478.tif 000009
【図８】
2009229478.tif 000010
【図９】
2009229478.tif 000011
【図１０】
2009229478.tif 000012
【図１１】
2009229478.tif 000013
【図１２】
2009229478.tif 000014